【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
海洋波エネルギー抽出システムにおいて、
振動水柱を受け入れるための少なくとも１つのダクトであって、前記ダクトは、第１の区分、前記第１の区分に対して横方向に配置された第２の区分及び前記第１の区分と前記第２の区分の中間にある流れ制御区分を有しており、前記流れ制御区分は、前記ダクト内部を流れる前記振動水柱の乱流を抑制するように作られている、ダクトと、
前記ダクトの前記第２の区分と流体連絡しているので前記第２の区分からの流体流れによって駆動されるタービンであって、前記流体流れは、前記ダクト内部の前記振動水柱の振動によって発生される、タービンと、
電気エネルギーを発生するために前記タービンによって回転されるように構成されている発電機と、を含んでいる海洋波エネルギー抽出システム。
【請求項２】
複数のダクトを含んでおり、それぞれのダクトは、関連付けられる振動水柱を受け入れるように作られている、請求項１に記載の海洋波エネルギー抽出システム。
【請求項３】
前記複数のダクトのそれぞれのダクトは、互いに対して異なる方向に向くように配置されている、請求項２に記載の海洋波エネルギー抽出システム。
【請求項４】
前記複数のダクトは、共通軸に沿って配置されている、請求項２又は請求項３に記載の海洋波エネルギー抽出システム。
【請求項５】
前記複数のダクトは、共通軸の周囲に配置されている、請求項２又は請求項３に記載の海洋波エネルギー抽出システム。
【請求項６】
前記複数のダクトは、線形配列及び極性配列のうちの１つを形成するように配置されている、
請求項４又は請求項５に記載の海洋波エネルギー抽出システム。
【請求項７】
前記複数のダクトは、ダクトの群の中に配置される、請求項４から請求項６の何れか１つに記載の海洋波エネルギー抽出システム。
【請求項８】
ダクトのそれぞれの群は、同じ構成を有している、請求項７に記載の海洋波エネルギー抽出システム。
【請求項９】
ダクトの少なくとも１つの群は、他の群の１つ又はそれ以上と異なる構成を有している、請求項７に記載の海洋波エネルギー抽出システム。
【請求項１０】
各群の前記ダクトは、共通軸に沿っている又はその周囲にある、のどちらか１つになるように配置されている、請求項７から請求項９の何れか１つに記載の海洋波エネルギー抽出システム。
【請求項１１】
各ダクトは、前記ダクトがそれに沿って又はその周囲に配置されている前記共通軸に対して横方向に伸張している軸を中心に回転される、請求項４から請求項１０の何れか１つに記載の海洋波エネルギー抽出システム。
【請求項１２】
前記ダクトは、前記共通軸に対して約１５度の角度で伸張するように、各ダクトは回転される、
請求項１１に記載の海洋波エネルギー抽出システム。
【請求項１３】
ダクトの第１の群は、前記共通軸に対して第１の角度で伸張するように回転され、ダクトの第２の群は、前記共通軸に対して第２の角度で伸張するように回転される、請求項１１に記載の海洋波エネルギー抽出システム。
【請求項１４】
ダクトの前記第１の群は、前記共通軸に対して約１５度の角度で伸張するように回転され、ダクトの前記第２の群は、前記共通軸に対して約マイナス１５度の角度で伸張するように回転される、請求項１３に記載の海洋波エネルギー抽出システム。
【請求項１５】
前記複数のダクトは、各ダクトの開口端は、使用時、前記システムが設置される前記水塊の前記平均表面水準より下方で実質的に同じ深さになるように作られる、請求項２から請求項１４の何れか１つに記載の海洋波エネルギー抽出システム。
【請求項１６】
分離しているタービンは、各タービンが前記関連付けられるダクトの前記振動水柱によって独立して駆動されるように、前記複数のダクトのそれぞれに取り付けられる、請求項２から請求項１５の何れか１つに記載の海洋波エネルギー抽出システム。
【請求項１７】
前記流れ制御区分は、曲線状の区分である、前述の請求項の何れか１つに記載の海洋波エネルギー抽出システム。
【請求項１８】
前記流れ制御区分は、一定の曲率半径を有している、請求項１７に記載の海洋波エネルギー抽出システム。
【請求項１９】
前記流体流れは、二方向性である、前述の請求項の何れか１つに記載の海洋波エネルギー抽出システム。
【請求項２０】
前記流体流れと関連付けられる前記流体は、ガス及び液体のうちの１つである、前述の請求項の何れか１つに記載の海洋波エネルギー抽出システム。
【請求項２１】
前記流体は、空気である、請求項２０に記載の海洋波エネルギー抽出システム。
【請求項２２】
前記タービンは、空気駆動式タービンである、請求項２１に記載の海洋波エネルギー抽出システム。
【請求項２３】
前記流体は、水である、請求項２０に記載の海洋波エネルギー抽出システム。
【請求項２４】
前記タービンは、水力タービンである、請求項２３に記載の海洋波エネルギー抽出システム。
【請求項２５】
前記第１の区分、前記第２の区分及び前記流れ制御区分は、一体ユニットとして一体化して形成される、前述の請求項の何れか１つに記載の海洋波エネルギー抽出システム。
【請求項２６】
前記ダクトは、Ｌ字型パイプである、前述の請求項の何れか１つに記載の海洋波エネルギー抽出システム。
【請求項２７】
前記ダクトの前記第１の区分の長さは、前記パイプの前記第２の区分の長さより大きい、前述の請求項の何れか１つに記載の海洋波エネルギー抽出システム。
【請求項２８】
前記ダクトの前記第１の区分の前記長さは、前記数式、
【数３】
2012501397.tif 000001
ここにＬはメートル単位の前記第１の区分の前記長さであり、Ｔは秒単位の前記海洋波の前記周期である、で決定される、前述の請求項の何れか１つに記載の海洋波エネルギー抽出システム。
【請求項２９】
前記第１の区分の前記長さは約２５ｍである、請求項２７又は請求項２８に記載の海洋波エネルギー抽出システム。
【請求項３０】
前記ダクトの前記第１の区分の前記長さは、前記海洋波の前記周期に適合するように前記ダクトを調整するために可変的になっている、前述の請求項の何れか１つに記載の海洋波エネルギー抽出システム。
【請求項３１】
前記ダクトの前記第１の区分は、前記第１の区分の前記長さを変える伸縮式構成を有している、請求項３０に記載の海洋波エネルギー抽出システム。
【請求項３２】
前記ダクトは一定の内部断面部を有している、前述の請求項の何れか１つに記載の海洋波エネルギー抽出システム。
【請求項３３】
前記内部断面部は、円形である、請求項３１に記載の海洋波エネルギー抽出システム。
【請求項３４】
前記内部断面部は、約１０ｍの直径を有している、請求項３２に記載の海洋波エネルギー抽出システム。
【請求項３５】
前記タービンは、二方向性流体流れに応えて一方向に動作する、前述の請求項の何れか１つに記載の海洋波エネルギー抽出システム。
【請求項３６】
前記ダクトを所望の場所に係留する係留システムを含んでいる、前述の請求項の何れか１つに記載の海洋波エネルギー抽出システム。
【請求項３７】
前記係留システムは、固定式係留システム、浮遊式係留システム、引張式係留システム及びスラック係留システムのうちの１つである、請求項３６に記載の海洋波エネルギー抽出システム。
【請求項３８】
前記ダクト又は各ダクトの浮遊を容易にするための浮力要素を含んでいる、前述の請求項の何れか１つに記載の海洋波エネルギー抽出システム。
【請求項３９】
前記浮力要素又は各浮力要素は、横方向に前記ダクトに取り付けられる、請求項３８に記載の海洋波エネルギー抽出システム。
【請求項４０】
前記浮力要素は、前記ダクトの片側又は両側に横方向に取り付けられる、請求項３８又は請求項３９に記載の海洋波エネルギー抽出システム。
【請求項４１】
前記浮力要素は、前記ダクトの前記第２の区分の片側又は両側で横方向に取り付けられる、請求項３８から請求項４０の何れか１つに記載の海洋波エネルギー抽出システム。